(57)【要約】【課題】  石付マットを簡単に結合でき、且つ隣接する石付マット間に空部が生じない石付マットを提供する。【解決手段】本発明は、端部を相互に連結可能なマット地１に石が固定された石付マットＡであって、このマット地１に連結用ベルト２が取り付けられており、該連結用ベルト２は、自由端部２１，２２を備え、該自由端部２１，２２にはその長さ方向に沿って連結用孔Ｈが設けられている。隣接する石付マットＡ同士を簡単に結合でき、且つ隣接する石付マット間に空部が生じることがない。【選択図】図２
2014118728.tif 000002
【特許請求の範囲】
【請求項１】
端部を相互に連結可能なマット地に石が固定された石付マットであって、このマット地に連結用ベルトが取り付けられており、該連結用ベルトは、自由端部を備え、該自由端部にはその長さ方向に沿って連結用孔が設けられていることを特徴とする石付マット。
【請求項２】
連結用ベルトは、その長さ方向に沿って一方側が内側自由端部で他方側が外側自由端部となっており、該両自由端部に連結用孔が複数個設けられていることを特徴とする請求項１記載の石付マット。
【請求項３】
連結用ベルトは、その長さ方向に沿って一方側が内側自由端部となっており、該自由端部に連結用孔が複数個設けられていることを特徴とする請求項１記載の石付マット。
【請求項４】
内側自由端部と外側自由端部とは、該連結用ベルトの中央部がマット地に縫合されて形成されていることを特徴とする請求項２記載の石付マット。
【請求項５】
内側自由端部は、該連結用ベルトの片側部がマット地に縫合されて形成されていることを特徴とする請求項３記載の石付マット。
【請求項６】
マット地には、吊りループ部が突設されていることを特徴とする請求項１記載の石付マット。
【請求項７】
マット地には、ヒレ部が延設されていることを特徴とする請求項１記載の石付マット。
【発明の詳細な説明】
【技術分野】
【０００１】
本発明は、護岸工事として整地した土面等の上に敷設されるマット地に石が固定された石付マットに関し、特に端部において相互に連結可能な石付マットに関する。
そしてまた、その石付マットの連結方法に関するものである。
【背景技術】
【０００２】
従来から、石付マットを使った土木工法がある。
これは護岸工事として整地して締固められた土面上に土砂吸出し防止シートを敷設し、この敷設シートの上に多数個の石付マットを設けて外観的に該石が敷きつめられた様相を発現させるものである。
このような土木工法においては多数枚の石付マットを順次並べて連結していくことになる。
多数枚の石付マットを連結するには、マット地の網目にロープを通すことで連結する。
【０００３】
例えば、吊り下げ用ループ部が設けられているので、その突出した吊り下げ用ループ部を介してロープを通し連結する。
しかしマット端部の間がどうしても開くのでその間から施工後に土砂が漏れる。
そのため互いにマット端部を付き合わせて、一定間隔毎にロープで結んで連結する方法がある。
しかし石付マットを施工する面は水平面とは限らず、傾斜面が多く、その場合は、石付マットが自重により斜面に沿って下方にずれ落ちようとする力が加わる。
その結果、隣接する石付マットの間に空部が生じて土砂部の地肌が露出し、その空部から土砂が漏れることとなる。
【０００４】
そのため、マット端部を重ね合わせて連結する方法も開発された。
しかし、いずれの方法においても、現場では、連結のためにロープを上方から下方に向けて網目を通す操作が必要である。
ところが、施工面である下地が支障となり、マットの下方に手が入らないため、この操作が極めて面倒であり効率が悪い。
【先行技術文献】
【特許文献】
【０００５】
【特許文献１】特開昭５７−８１５１０号公報
【特許文献２】特公平１−５２１７９号公報
【発明の概要】
【発明が解決しようとする課題】
【０００６】
本発明らは、かかる従来の背景技術をもとになされたもので、従来の問題点を克服するためになされたものである。
すなわち、本発明は、石付マットを簡単に結合でき、且つ隣接する石付マット間に空部が生じない石付マットを提供するものである。
【課題を解決するための手段】
【０００７】
かくして、本発明者は、このような課題背景に対して鋭意研究を重ねた結果、石付マットに連結用ベルトが取り付けて連結に寄与する自由端部を備えるようにすることで、連結操作も容易になり、且つ且つ隣接する石付マット間に空部が生じないようになる点を見出し、この知見に基づいて本発明を完成させたものである。
【０００８】
すなわち、本発明は、（１）、端部を相互に連結可能なマット地１に石３が固定された石付マットＡであって、このマット地１に連結用ベルト２が取り付けられており、該連結用ベルト２は、自由端部を備え、該自由端部にはその長さ方向に沿って連結用孔Ｈが設けられている石付マットＡに存する。
【０００９】
また、本発明は、（２）、連結用ベルト２は、その長さ方向に沿って一方側が内側自由端部２１で他方側が外側自由端部２２となっており、該両自由端部に連結用孔Ｈが複数個設けられている石付マットＡに存する。
【００１０】
また、本発明は、（３）、連結用ベルト２は、その長さ方向に沿って一方側が内側自由端部２１となっており、該自由端部に連結用孔Ｈが複数個設けられている石付マットＡに存する。
【００１１】
また、本発明は、（４）、内側自由端部２１と外側自由端部２２とは、該連結用ベルト２の中央部２Ａがマット地１に縫合されて形成されている上記（２）記載の石付マットＡに存する。
【００１２】
また、本発明は、（５）、内側自由端部２１は、該連結用ベルト２の片側部２Ｂがマット地１に縫合されて形成されている上記（３）記載の石付マットＡに存する。
【００１３】
また、本発明は、（６）、マット地１には、吊りループ部５が突設されている上記（１）記載の石付マットＡに存する。
【００１４】
また、本発明は、（７）、マット地１には、ヒレ部４が延設されている上記（１）記載の石付マットＡに存する。
【００１５】
なお、本発明の目的に添ったものであれば、上記（１）から（７）を適宜組み合わせた構成も採用可能である。
【発明の効果】
【００１６】
本発明の石付マットＡによれば、マット地１に連結用ベルト２が取り付けられており、該連結用ベルト２は、自由端部を備え、該自由端部にはその長さ方向に沿って連結用孔Ｈが設けられている構成を有するため、隣接する石付マットＡ同士を簡単に結合でき、且つ隣接する石付マット間に空部が生じることがない。
【００１７】
連結用ベルト２は、その長さ方向に沿って一方側が内側自由端部２１で他方側が外側自由端部２２となっており、該両自由端部に連結用孔Ｈが複数個設けられていることにより、一方の石付マットＡの外側自由端部２２と他方の石付マットＡの内側自由端部２１とを利用してロープで結合することができる。
或いは、一方の石付マットＡの内側自由端部２１及び外側自由端部２２と他方の石付マットＡの内側自由端部２１とを利用してロープで結合することができる。
防止効果を十分発揮することができる。
【００１８】
また連結用ベルト２は、その長さ方向に沿って一方側が内側自由端部２１となっており、該自由端部に連結用孔Ｈが複数個設けられていることにより、一方の石付マットＡの内側自由端部２１と他方の石付マットＡの内側自由端部２１とを利用してロープで結合することができる。
【００１９】
内側自由端部２１と外側自由端部２２とは、該連結用ベルト２の中央部２Ａがマット地１に縫合されて形成されていることにより、石付マットＡの端部が補強されると共に、簡単にしかも一挙に内側自由端部２１及び外側自由端部２２とを形成することができる。
【００２０】
内側自由端部２１は、該連結用ベルト２の片側部２Ｂがマット地１に縫合されて形成されていることにより、石付マットＡの端部が補強されると共に、簡単にしかも一挙に内側自由端部２１を形成することができる。
【図面の簡単な説明】
【００２１】
【図１】図１は、本発明の石付マットを概略的に示した図であり、（Ａ）は外観図、（Ｂ）は断面図である。
【図２】図２は、本発明の石付マットの端部領域を概略的に示したものであり、（Ａ）は石付マットの端部の斜視図、（Ｂ）は２枚の石付マットの端部の斜視図である。
【図３】図３は、連結用ベルトをマット地に縫い付けた状態を説明する図であり、（Ａ）は端部を折り返さない場合、また（Ｂ）は端部を折り返した場合を示す。
【図４】図４は、石付マットの内側自由端部を石付マットの外側自由端部に合わせて重ねた状態を示す。
【図５】図５は、一方の石付マットの内側自由端部と他方の石付マットの外側自由端部とを結束する方法を示したもので、（Ａ）は、ロープを通した状態であり、（Ｂ）は、ロープを結んだ状態である。
【図６】図６は、本発明の石付マットの端部領域を概略的に示したものであり、（Ａ）は石付マットの端部の斜視図、（Ｂ）は二つの石付マットの端部の斜視図である。
【図７】図７は、連結用ベルトをマット地に縫い付けた状態を説明する図であり、（Ａ）は端部を折り返さない場合、また（Ｂ）は端部を折り返した場合を示す。
【図８】図８は、石付マットの内側自由端部と石付マットの内側自由端部とがベルト幅間隔を開けて対向した状態を示す。
【図９】図９は、一方の石付マットの内側自由端部と他方の石付マットの内側自由端部とを結束する方法を示したもので、（Ａ）は、ロープを通した状態であり、（Ｂ）は、ロープを結んだ状態である。
【図１０】図１０は、第１の実施の形態の石付マットにヒレ部を延設させた石付マットを概略的に示したものである。
【図１１】図１１は、連結用ベルトをマット地に縫い込むと同時にヒレ部を形成する状態を説明する図であり、（Ａ）は、連結用ベルト２を端縁から一定距離内側の位置に設けることでヒレ部を形成させた場合、（Ｂ）は、別のヒレ部を継ぎ足して縫った場合、（Ｃ）は、別のヒレ部を継ぎ足しマット地を折り返して縫った場合を示す。
【図１２】図１２は、吊りループ部を設けた石付マットを概略的に示した図である。
【発明を実施するための形態】
【００２２】
以下、本発明を実施するための最良の形態を図面に基づいて説明する。
【００２３】
第１の実施の形態
（端部の状態）
図１は、本発明の石付マットＡを概略的に示した図であり、図１（Ａ）は、外観図、図１（Ｂ）は、断面図である。
本発明の石付マットＡは、連結可能なネット地に石３が固定された石付マットＡであり、固定された石３には、人石、自然石等が採用されている。
具体的には、例えば、石付マットＡは２ｍ×２ｍの面積で、この広さの中に縦横に間隔をおいて多数の石３がボルト、座金等を使って固定されているものである。
ネット地は網目を有するもので、織成や編成により形成される。
施工する場合は、施工面に縦横方向にこの石付マットＡを連結していくこととなる。
【００２４】
本発明の石付マットＡの特徴はマット地１の端部に連結に供する連結用ベルト２が取り付けられていることである。
現場での敷設施工の際は、石付マットＡが縦或いは横方向に連結されていくため、この連結用ベルト２は、図のように、通常、石付マットＡの４つの各辺に取り付けられる。
この連結用ベルト２としては、長尺の布製の帯片が使用されることが好ましい。
【００２５】
図２は、本発明の石付マットＡの端部領域を概略的に示したものであり、図２（Ａ）は、石付マットＡの端部の斜視図、図２（Ｂ）は、二枚の石付マットＡの端部の斜視図である。
尚、この図では石付マットＡの一つの辺の連結用ベルト２のみ示し、他の辺の連結用ベルト２は省略した。
連結用ベルト２は、石付マットＡの端辺に沿って図示しない縫い糸を使って縫い付けられており、連結用ベルト２の両側が自由端部となる。
詳しくは、連結用ベルト２は、その中央部２Ａをマット地１に縫い付けることによりその長さ方向に沿って一方側が内側自由端部２１で他方側が外側自由端部２２となる。
この内側自由端部２１と外側自由端部２２には、他の石付マットＡとロープを使って連結するための連結用孔Ｈが長手方向に複数個設けられている。
この連結用孔Ｈの周囲は、強度を上げるための補強加工が施されている。
【００２６】
図３は、連結用ベルト２をマット地１に縫い付けた状態を説明する図である。
なお４本の短い線が縫いカ所を示す。
図３（Ａ）は、端部を折り返さない場合、また図３（Ｂ）は、端部を折り返した場合を示す。
図３（Ａ）に示すように、マット地１の端の上から連結用ベルト２を縫い付ける。
後述するように、本発明の石付マットＡは吊り上げて運ぶことからフックを引っ掛ける部分は十分な強度が必要である。
そのためフックを引っ掛ける部分である石付マットＡの端部は、連結用ベルト２を縫い付けたことで強化されるが、更に図３（Ｂ）に示すように、折り返して２重とすることで、より引張り強度が増す。
【００２７】
次に石付マットＡの連結方法について述べる。
（連結方法）
１）上述したような石付マットＡ（Ａ１），石付マットＡ（Ａ２）の端部同士を互いに連結するには、まず、一定長さのロープを複数本用意する。
そして一方側の石付マットＡ１の端部と他方側の石付マットＡ２端部を重ねる。
すなわち、一方側の石付マットＡ１の連結用ベルト２の端部の上に他方側の石付マットＡ２の連結用ベルト２を重ねる。
この場合、石付マットＡ１の内側自由端部２１を石付マットＡ２の外側自由端部２２に合わせて重ねるようにする（図４参照）。
なお、この状態では石付マットＡ１の外側自由端部２２は石付マットＡ２の下になる。
【００２８】
２）次に、重なった石付マットＡ１の内側自由端部２１と石付マットＡ２の外側自由端部２２に共通にロープＲを通し、それをまた石付マットＡ２の内側自由端部２１に通して結束する（図５参照）。
図５（Ａ）は、ロープを通した状態、また図５（Ｂ）は、ロープを結んだ状態を示す。
この方法は、両石付マットＡ１，Ａ２の上側のみで結束操作が可能であるので、極めて連結効率がよい。
因みに、従来は、結束する際、ロープＲをマット地１の目に上方から挿入し、また下から引き出す操作を行うが、両石付マットＡ１，Ａ２の下側に手を入れるのが困難なので引き出す操作が極めて困難となっていた。
本発明においては、両石付マットＡ１，Ａ２の下側に手を入れる操作は全く不必要である。
【００２９】
３）次に端部に沿って一定間隔を取って複数箇所（例えば４カ所）この結束を行う。
これで石付マットＡ１と石付マットＡ２の連結は終了する。
このように、ロープＲを使って連結を終了することにより、連結用ベルト２のラップ（重ね合わせ）が行われることとなり、その結果、石付マットＡ１と石付マットＡ２の間には空部か全く発生しない状態が確保される。
【００３０】
４）更に別の石付マットＡを連結するには、同様な操作を繰り返し行う。
なお、石付マットＡは、一旦吊り上げて移動させるが、その際に、クレーンのフックを石付マットＡの周囲に引っ掛けてバランスを取って動かす。
この内側自由端部２１と外側自由端部２２には、連結用孔Ｈが穿孔形成されているので、この連結用孔Ｈを利用して吊り上げればよい。
吊り上げ強度の観点から外側自由端部２２の連結用孔Ｈにフックを引っ掛けて吊り上げることが好ましい。
【００３１】
第２の実施の形態
（端部の状態）
この第２の実施の形態の石付マットＡもマット地１の端部に連結用ベルト２が取り付けられているものである。
図６は、本発明の石付マットＡの端部領域を概略的に示したものであり、図６（Ａ）は石付マットＡの端部の斜視図、図６（Ｂ）は二つの石付マットＡの端部の斜視図である。
前述した第１の実施の形態の石付マットＡでは連結用ベルト２の両側が自由端部となっているのに対して、この実施の形態では連結用ベルト２の一方側のみが自由端部となっている。
連結用ベルト２は、その片側部２Ｂをマット地１に図示しない縫い糸を使って縫い付けることにより一方側のみが自由端部となる。
すなわち、片側部２Ｂを縫うことによりその長さ方向に沿って一方側が内側自由端部２１に形成される。
この内側自由端部２１には、連結のための連結用孔Ｈが複数個設けられている。
【００３２】
図７は、連結用ベルト２をマット地１に縫い付けた状態を説明する図である。
図７（Ａ）は、端部を折り返さない場合、また図７（Ｂ）は、端部を折り返した場合を示す。
強度の面からは、マット地１の端は折り返して２重とし、その上から連結用ベルト２を縫い付けることが好ましい。
この場合、中央部ではなく片側部２Ｂを全部縫うことから内側自由端部２１のみが形成される。
【００３３】
（連結方法）
１）上述したような石付マットＡ（Ａ１），石付マットＡ（Ａ２）の端部同士を互いに連結するために、一定長さのロープを複数本用意する。
そして一方側の石付マットＡ１の端部と他方側の石付マットＡ２端部を重ねる。
すなわち、一方側の石付マットＡ１の連結用ベルト２の端部の上に他方側の石付マットＡ２の連結用ベルト２を重ねる。
この場合、石付マットＡ１の内側自由端部２１と石付マットＡ２の内側自由端部２１とは、ほぼベルト幅間隔を開けて対向した状態となる。（図８参照）。
【００３４】
２）次に、石付マットＡ１の内側自由端部２１と石付マットＡ２の内側自由端部２１に共通にロープを通して結束する（図９参照）。
図９（Ａ）は、ロープを通した状態、また図９（Ｂ）は、ロープを結んだ状態を示す。
【００３５】
３）次に端部に沿って一定間隔を取って複数箇所（例えば４カ所）この結束を行う。
これで石付マットＡ１と石付マットＡ２の連結は終了する。
このように、ロープＲを使って連結を終了することにより、連結用ベルト２のラップ（重ね合わせ）が行われることとなり、その結果、石付マットＡ１と石付マットＡ２の間には空部か全く発生しない状態が確保される。
【００３６】
４）更に別の石付マットＡを連結するには、同様な操作を繰り返し行う。
【００３７】
第３の実施の形態
この実施の形態は、石付マットＡにヒレ部４を延設させたものである。
図１０は、第１の実施の形態の石付マットＡにヒレ部４を延設させた石付マットＡを概略的に示したものである。
図１１は、連結用ベルトをマット地に縫い込むと同時にヒレ部を形成する状態を説明する図である。
ヒレ部４の延設の仕方として、連結用ベルト２をマット地の端縁から一定距離内側の位置に設けることでヒレ部を形成させた方法図１１（Ａ）や、別のヒレ部４を継ぎ足す方法がある。
後者には、マット地を折り返して２重にする場合（図１１（Ｂ））や、しない場合（図１１（Ｃ））がある。
【００３８】
本発明の石付マットＡは、マット地１に連結用孔Ｈを備えた連結用ベルト２が取り付けられており、特有の連結方法を採用しているため、石付マット同士に引き離し力が加わっても、隣接する石付マットＡの間に空部（隙間）が生じて下側の土砂部の地肌が露出することはない。
しかし、万一のことを想定し、石付マット間に空部が生じても土砂部の地肌が露出することのないようにヒレ部４を延設させたので空部の発生は完全に防止される。
ここでヒレ部の延出長さは石付マットの長さの２０〜３０％が好ましい。
尚、この継ぎ足したヒレ部４はマット地１と同じ部材が使用されることが好ましい。
【００３９】
ところで前述した第２の実施の形態の石付マットＡにも同様にヒレ部４を設けることができることは当然である。
【００４０】
第４の実施の形態
この実施の形態は、石付マットＡに吊り上げのための吊りループ部５を別に設けたものである。
図１２は、吊りループ部５を設けた石付マットＡを概略的に示した図である。
なおヒレ部が設けられていない石付マットで示した。
前述したように石付マットＡは、内側自由端部２１或いは外側自由端部２２の連結用孔Ｈにフックを引っ掛けて吊り上げることができるが、この実施の形態では、敢えて別に吊り上げのための吊りループ部５を設けている。
また、吊りループ部５は、例えば、矩形の石付マットＡの各辺に沿って４カ所ずつ設ける。
【００４１】
以上、本発明を説明してきたが、本発明は上述した一実施形態にのみ限定されるものではなく、その本質を逸脱しない範囲で、他の種々の変形が可能であることはいうまでもない。
例えば、上述した連結用ベルト２は、織地や編地が使われる。
石付マット同士の結束の仕方は、一定間隔で結束しても、螺旋状に連続して結束してもよく、孔とロープを使った結束であれば自由に採用可能である。
またロープの代わりに針金を使ってもよい。
また、連結用ベルト２の下のマット地１の端は通常網マットの編成時に形成される糸密度の高い耳部組織とすることが、強度の面から好ましい。
また４つの辺の連結用ベルト２が衝合する角部の部分は、重なる部分の連結用ベルト２に切り込みを入れたり、或いは、連結用ベルト２を短くして重ならないようにする。
【産業上の利用可能性】
【００４２】
本発明の石付マットＡはマット地１に連結用ベルト２が取り付けられ連結用孔Ｈを有する自由端部を備えるため石付マット同士を簡単に結合でき、且つ隣接する石付マット間に空部が生じることがないという利点を有する。
そのためブロックマット、補強ネット等の種々の土木用ネットの端部の連結に利用可能であり、その用途範囲は広い。
【００４３】
１…マット地
２…連結用ベルト
２Ａ…中央部
２Ｂ…片側部
２１…内側自由端部
２２…外側自由端部
３…石
４…ヒレ部
５…吊りループ部
Ａ…石付マット
Ａ１，Ａ２…石付マット
Ｈ…連結用孔
Ｒ…ロープ
【図１】
2014118728.tif 000003
【図２】
2014118728.tif 000004
【図３】
2014118728.tif 000005
【図４】
2014118728.tif 000006
【図５】
2014118728.tif 000007
【図６】
2014118728.tif 000008
【図７】
2014118728.tif 000009
【図８】
2014118728.tif 000010
【図９】
2014118728.tif 000011
【図１０】
2014118728.tif 000012
【図１１】
2014118728.tif 000013
【図１２】
2014118728.tif 000014